(57)【要約】【課題】プランジャーをクランク状に偏心させることなく両プランジャーの先端の間隔寸法を小さくすることができる検査治具を提供する。【解決手段】検査治具１は、治具ベース２と、治具ベース２内に収容される一対のプランジャー３とを備える。各プランジャー３はスプリング４により先方に付勢され、治具ベース２の先端側の開口２１ａから突出自在とされる。両プランジャー３は、治具ベース２内で先方に向うに従って互いに接近するように傾斜した状態で収容される。【選択図】図２
2011153915.tif 000002
【特許請求の範囲】
【請求項１】
基端から尖形の先端に向かって真直ぐに延び、基端と先端との間の部分に径方向外方に拡径する抜け止用の拡径部を有する導電性の一対のプランジャーと、
該プランジャーをその先端部が先端側に設けられた開口から突出自在に収容する治具ベースと、
該治具ベース内に設けられ、前記プランジャーの拡径部の先端縁の段差部分と接触して該プランジャーの該治具ベース内からの脱落を防止する係止部と、
該治具ベースに収容され、各プランジャーの基端部に当接し、各プランジャーを先端側に付勢して、各プランジャーの先端部を前記治具ベースの先端側の開口から突出させるスプリングとを備え、
両プランジャーの先端をプリント配線板の配線回路に接触させ、両プランジャーに電気的に接続される計測手段によって前記配線回路の検査を行うプリント配線板の検査治具において、
前記両プランジャーは前記治具ベース内で先方に向うに従って互いに接近するように、少なくとも一方のプランジャーが傾斜した状態で前記治具ベースに収容されることを特徴とするプリント配線板の検査治具。
【請求項２】
請求項１記載のプリント配線板の検査治具において、
前記治具ベースは、複数の板状部材を積層して構成され、
該板状部材には、前記プランジャーを収容するための一対の案内孔が形成され、
先端側に位置する前記板状部材の両案内孔の中心軸間の距離が、基端側に位置する前記板状部材の両案内孔の中心軸間の距離よりも短くなるように、前記先端側に位置する板状部材の両案内孔が穿設されることにより、前記治具ベース内で前記両プランジャーが傾斜した状態となることを特徴とするプリント配線板の検査治具。
【発明の詳細な説明】
【技術分野】
【０００１】
本発明は、プリント配線板の配線回路の検査を行なう際に用いられるプリント配線板の検査治具に関する。
【背景技術】
【０００２】
従来、プリント配線板の配線回路の検査治具としては、図３に示すように、治具ベース１００に設けられた一対の貫通孔１００ａから先端が突出自在に保持された一対のプランジャー１２０を備えるものが知られている。各プランジャー１２０は治具ベース１００に収容されたスプリング１３０によって先端方向に付勢されている。プランジャー１２０及びスプリング１３０は導電性を有しており、プランジャー１２０とスプリング１３０とは電気的に導通された状態で連接される。
【０００３】
治具ベース１００は、両スプリング１３０を互いに絶縁された状態で収容するスプリング保持孔１４１ａ，１４１ａを有するスプリング保持板１４１と、スプリング保持板１４１に重合されて各スプリング１３０の基端に先端が当接するリード線１５０を固定するリード線固定板１４２とを備えている。リード線１５０は図示しない計測手段に接続されている。また、両プランジャー１２０は大径部１２０ａを備え、治具ベース１００の貫通孔１００ａに形成された大径孔部１００ｂで抜け止めされている。このように構成された検査治具は、両プランジャー１２０の夫々の先端１２０ｂを図示しないプリント配線板の配線回路に圧接させ、配線間の抵抗等を前記計測手段によって計測することによって配線回路の検査を行なう。
【０００４】
ところで、近年、プリント配線板の配線回路が高密度化され、それに伴ってよりいっそう細かいの配線回路の検査を行なうことが望まれている。そして、このように高密度化されて細かくなった配線回路の検査を行なうために、両プランジャー１２０の先端１２０ｂの間隔寸法ｘをより小さくすることが必要となる。
【０００５】
ここで、従来の検査治具の構成においては、両プランジャー１２０の大径部１２０ａが最も接近することとなる。従って、プランジャー１２０の大径部を収容する貫通孔の部分が連通しない程度に接近させた状態が、先端１２０ｂの間隔寸法ｘの限界であった。
【０００６】
そこで、先端側と基端側とで軸を偏心させたクランク状の連結部を備えるプランジャーを用いて、プランジャーの先端の間隔寸法を小さくしたものも知られている（例えば、特許文献１参照）。このものでは、先端部と後端部とを連結するクランク状の連結部がプランジャーに設けられ、この連結部が治具ベース内に設けられた係止部に当接することにより、プランジャーが治具ベースの貫通孔から脱落することを防止している。
【先行技術文献】
【特許文献】
【０００７】
【特許文献１】特開２００２−３５０４８７号公報
【発明の概要】
【発明が解決しようとする課題】
【０００８】
プランジャーをクランク状に偏心させるためには、２本の先端部と基端部との外周面を連結させるか、又は、先端と基端との間の部分を屈曲させて一体型のクランク状プランジャーを製造する必要がある。しかしながら、何れの場合においても、高度の製造技術を必要とし、プランジャーの製造コストが高くなるという不都合がある。
【０００９】
本発明は、プランジャーをクランク状に偏心させることなく両プランジャーの先端の間隔寸法を小さくすることができる検査治具を提供することを目的とする。
【課題を解決するための手段】
【００１０】
［１］上記目的を達成するため、本発明は、基端から尖形の先端に向かって真直ぐに延び、基端と先端との間の部分に径方向外方に拡径する抜け止用の拡径部を有する導電性の一対のプランジャーと、該プランジャーをその先端部が先端側に設けられた開口から突出自在に収容する治具ベースと、該治具ベース内に設けられ、前記プランジャーの拡径部の先端縁の段差部分と接触して該プランジャーの該治具ベース内からの脱落を防止する係止部と、該治具ベースに収容され、各プランジャーの基端部に当接し、各プランジャーを先端側に付勢して、各プランジャーの先端部を前記治具ベースの先端側の開口から突出させるスプリングとを備え、両プランジャーの先端をプリント配線板の配線回路に接触させ、両プランジャーに電気的に接続される計測手段によって前記配線回路の検査を行うプリント配線板の検査治具において、前記両プランジャーが前記治具ベース内で先方に向うに従って互いに接近するように、少なくとも一方のプランジャーが傾斜した状態で前記治具ベースに収容されることを特徴とする。
【００１１】
従来の検査治具では、基端から尖形の先端に向かって真直ぐに延び、基端と先端との間の部分に径方向外方に拡径する抜け止用の拡径部を有する一対のプランジャーが、治具ベース内に互いに平行に配置されているため、両プランジャーの拡径部が互いに最も接近する部分となる。従って、プランジャーの拡径部を収容する治具ベース内の孔が互いに連通することの無いように限界まで接近させた状態における先端の間隔寸法が限度であった。
【００１２】
本発明によれば、両プランジャーが先方に向うに従って互いに接近するように、少なくとも一方のプランジャーが傾斜した状態で治具ベースに収容されるため、従来品よりもプランジャーの先端の間隔寸法を小さくすることができる。従って、プランジャーの拡径部の外径に影響されることなく、プランジャーが突出する治具ベースの一対の開口を、互いが連通することの無いように限界まで接近させて穿設することができ、先端の間隔寸法を従来品と比較して小さくすることができる。
【００１３】
［２］本発明の具体的態様としては、例えば、治具ベースを複数の板状部材を積層して構成し、板状部材にプランジャーを収容するための一対の案内孔を形成し、先端側に位置する板状部材の両案内孔の中心軸間の距離が、基端側に位置する板状部材の両案内孔の中心軸間の距離よりも短くなるように、先端側に位置する板状部材の両案内孔が穿設されることにより、治具ベース内で両プランジャーが傾斜した状態とすることができる。
【図面の簡単な説明】
【００１４】
【図１】本発明の実施形態のプリント配線板の検査治具を模式的に示す説明図。
【図２】実施形態のプリント配線板の検査治具を示す断面図。
【図３】従来のプリント配線板の検査治具を示す断面図。
【発明を実施するための形態】
【００１５】
図１に模式的に示すように、本実施形態のプリント配線板の検査治具１は、上下の取付板Ａ１，Ａ２に支柱Ｂ１，Ｂ２を介して取り付けられるものであり、治具ベース２と、治具ベース２に進退自在に収容・保持されたプランジャー３と、プランジャー３を先端方向に付勢するスプリング４（図２参照）とを備える。
【００１６】
検査治具１は、プランジャー３の先端をプリント配線板Ｗの配線回路Ｗ１，Ｗ２に圧接させて配線間の導通検査を行なうものである。図２の点線は、検査治具１がプリント配線板Ｗに圧接することにより、プランジャー３がスプリング４の付勢力に抗して後退した状態を示している。
【００１７】
プランジャー３は、導電性を有する金属によって形成され、図２に示すように、その先端３ａは尖形に形成されている。又、プランジャー３は、スプリング４に連接された基端部３１と、治具ベース２の外方に突出自在な先端部３２と、先端部３２と基端部３１との間に位置させて、先端部３２及び基端部３１よりも拡径された拡径部３３とを備える。
【００１８】
スプリング４は、導電性を有する金属製線材により形成され、先端がプランジャー３の基端部３１に電気的に接続された状態で連接される。また、スプリング４の基端は、エナメル線５の切断端面で構成される接点６に当接している。エナメル線５は、図示省略した計測器（計測手段）に接続されている。この計測器は、配線回路の電気的導通を計測するものである。
【００１９】
治具ベース２は、６つの板状部材を積層して構成される。これら６つの板状部材を先端側から基端側に向かって順に（図２では上から順に）、第１〜第６板状部材２１，２２，２３，２４，２５，２６として、第１板状部材２１は、プランジャー３の先端部３２を挿通させて案内する第１案内孔２１ａを備える。
【００２０】
第１板状部材２１の基端側に配置された第２板状部材２２は、プランジャー３の先端部３２を挿通させて案内する第２案内孔２２ａを備える。第１板状部材２１と第２板状部材２２との間には支柱Ｂ１，Ｂ２に取り付けられたスペーサ７１により隙間が形成されている。
【００２１】
第２板状部材２２の基端側に配置された第３板状部材２３は、プランジャー３の先端部３２を挿通させて案内する第３案内孔２３ａと、プランジャー３の拡径部３３の先端縁の段差部分を係止して抜け止する第１係止部２３ｂとを備える。第２板状部材２２と第３板状部材２３との間には支柱Ｂ１，Ｂ２に取り付けられたスペーサ７２により隙間が形成されている。
【００２２】
第３板状部材２３の基端側に重ね合わされた第４板状部材２４は、プランジャー３の基端部３１を挿通させて案内する第４案内孔２４ａと、プランジャー３の拡径部３３の基端縁の段差部分を係止して抜け止めする第２係止部２４ｂとを備えている。第３板状部材２３と第４板状部材２４とが重ね合わされることにより、第１係止部２３ｂと第２係止部２４ｂとの間にプランジャー３の拡径部３３を収容する収容部２ａが画成される。
【００２３】
第４板状部材２４の基端側に重ね合わされた第５板状部材２５（スプリング保持板）は、スプリング４を収容するスプリング収容室２５ａを備える。第５板状部材２５の基端側に重ね合わされた第６板状部材２６（接点保持板）は、貫通孔２６ａを備え、この貫通孔２６ａにエナメル線５が固着されている。
【００２４】
ここで、両プランジャーを、治具ベース内に互いに平行に配置させると、両プランジャーの拡径部が互いに最も接近する部分となる。従って、プランジャーの拡径部を収容する治具ベース内の孔が互いに連通することの無いように限界まで接近させた状態における先端の間隔寸法ｘが限度となる。
【００２５】
そこで、実施形態の検査治具１では、第３板状部材２３の一対の第３案内孔２３ａの中心軸線間の距離Ｌ２が、第４板状部材２４の一対の第４案内孔２４ａの中心軸線間の距離Ｌ３よりも短くなるように、第３案内孔２３ａ及び第４案内孔２４ａを穿設している。又、第１板状部材２１の一対の第１案内孔２１ａの中心軸線間の距離Ｌ１が、第３板状部材２３の一対の第３案内孔２３ａの中心軸線間の距離Ｌ２よりも短くなるように、第１案内孔２１ａ及び第３案内孔２３ａを穿設している。
【００２６】
このように構成することで、プランジャー３が治具ベース２内で先方に向うに従って互いに接近するように傾斜する。従って、治具ベース２の一対の開口を構成する第１板状部材２１の両第１案内孔２１ａを、互いが連通することの無いように限界まで接近させて穿設することができ、プランジャー３の先端３ａの間隔寸法ｘを小さくすることができる。
【００２７】
尚、実施形態の検査治具１においては、両方のプランジャー３を傾斜させているが、本発明の検査治具は、これに限らず、例えば、２つのプランジャーのうち何れか一方だけを傾斜させ、他方を各板状部材に対して垂直となるように治具ベース２内に収容しても、本発明の効果を得ることができる。
【符号の説明】
【００２８】
１…プリント配線板の検査治具、２…治具ベース、２ａ…収容部、２１…第１板状部材、２１ａ…第１案内孔、２２…第２板状部材、２２ａ…第２案内孔、２３…第３板状部材、２３ａ…第３案内孔、２３ｂ…第１係止部、２４…第４板状部材、２４ａ…第４案内孔、２４ｂ…第２係止部、２５…第５板状部材、２５ａ…スプリング収容室、２６…第６板状部材、２６ａ…貫通孔、３…プランジャー、３ａ…先端、３１…基端部、３２…先端部、３３…拡径部、４…スプリング、５…エナメル線、６…接点、Ａ１，Ａ２…取付板、Ｂ１，Ｂ２…支柱。
【図１】
2011153915.tif 000003
【図２】
2011153915.tif 000004
【図３】
2011153915.tif 000005